(57)【特許請求の範囲】
【請求項１】
上端に膨出部を有した逆Ｔ字状の天井枠を跨ぎ、前記天井枠の下フランジに載置した天井板を押圧する金具であって、
ウェブと、このウェブの両側から垂下してなる前記膨出部に外嵌可能な幅寸法に形成された上部垂直片と上部垂直片より下方内向きに傾斜して延設された下部略垂直片とを有した一対のフランジと、を備えた逆Ｕ字状部と、
前記一対のフランジの下端から斜め下向き外方に延設し前記天井板を押圧する一対の脚部とからなり、
前記各フランジの上部垂直片にそれぞれ切欠部を前記フランジの上部垂直片と下部略垂直片の屈曲部に沿って形成し、各切欠部においてそれぞれ先端が前記膨出部の下面に係止する爪を前記下部略垂直片の上端から内向きに立ち上げ形成し、
前記フランジの切欠部を除く断面積を、前記切欠部の下端位置で最小とするとともに、前記下部略垂直片は、押圧した天井板の厚みによって下部略垂直片の傾斜が変わることを特徴とする天井板押え金具。
【発明の詳細な説明】
【０００１】
【発明の属する技術分野】
この発明は、天井板の浮き上がりを防止するための天井板押え金具に関するものである。
【０００２】
【従来の技術】
従来より、図６および図７に示すように、天井枠４０，４１を格子状に組み、各格子空間に天井板４２を配置してなる天井構造がある。
天井枠４０，４１は逆Ｔ字状の部材であって、天井板４２は外周を天井枠４０，４１の下フランジ４３に載置して設けられている。
【０００３】
しかし、窓やドアの開閉時の風圧や、空調機からの吹き込み、排煙機の動作、地震等の振動により、天井板４２が浮き上がり、衝撃音や天井板４２の損傷といった問題があった。
そこで、図８に示すような天井板押え金具５０によって、天井板４２を押圧している。天井板押え金具５０は、亜鉛鋼板製のハット形の部材であって、両側面に一対の爪５１，５２を備えている。そして、図９に示すように、天井板押え金具５０を天井枠４１に跨げ、爪５１，５２を天井枠４１の上端の膨出部４６の下面の係止部４５に係止し、両側の脚片５３，５４にて天井板４２，４２を押圧する。
【０００４】
また、図１０に示すような弾性を有したステンレス製の天井板押え金具６０もある。この天井板押え金具６０は、両側面に一対の爪６１，６２を備え、両側の脚片６３，６４が外向きに湾曲している。そして、図１１に示すように、天井板押え金具６０を天井枠４１に跨げ、爪６１，６２を天井枠４１の係止部４５に係止し、両側の脚片６３，６４にて天井板４２，４２を押圧する。
【０００５】
【発明が解決しようとする課題】
しかし、図８に示した天井板押え金具５０では、天井板４２の厚みが変わると、それに応じた高さの天井板押え金具５０に取り替える必要が生じ、各種厚みの天井板４２に合わせて複数種の天井板押え金具５０をあらかじめ準備しておかなければならず、部品の種類数が多くなるという問題があった。
【０００６】
また、図１０に示した天井板押え金具６０では、図１２に示すように、厚手の天井板４４の場合、天井板押え金具６０が外方に広がって天井板４４を押圧するので、厚みの異なる天井板４２，４４でも一種類の天井板押え金具６０にて押圧することができる。しかし、厚手の天井板４４の場合、天井板押え金具６０が外向きに広がることにより、爪６１，６２が水平姿勢に近くなり、係止部４５との係止が不安定になり、天井板４４の押圧力が低下するという問題があった。
【０００７】
この発明の目的は、天井板の厚みが異なっても同等の押圧力で押圧することができる天井板押え金具を提供することである。
【０００８】
【課題を解決するための手段】
請求項１記載の天井押え金具は、上端に膨出部を有した逆Ｔ字状の天井枠を跨ぎ、前記天井枠の下フランジに載置した天井板を押圧する金具であって、ウェブと、このウェブの両側から垂下してなる前記膨出部に外嵌可能な幅寸法に形成された上部垂直片と上部垂直片より下方内向きに傾斜して延設された下部略垂直片とを有した一対のフランジと、を備えた逆Ｕ字状部と、前記一対のフランジの下端から斜め下向き外方に延設し前記天井板を押圧する一対の脚部とからなり、前記各フランジの上部垂直片にそれぞれ切欠部を前記フランジの上部垂直片と下部略垂直片の屈曲部に沿って形成し、各切欠部においてそれぞれ先端が前記膨出部の下面に係止する爪を前記下部略垂直片の上端から内向きに立ち上げ形成し、前記フランジの切欠部を除く断面積を、前記切欠部の下端位置で最小とするとともに、前記下部略垂直片は、押圧した天井板の厚みによって下部略垂直片の傾斜が変わることを特徴とするものである。
【０００９】
請求項１記載の天井板押え金具によると、フランジは切欠部の下端位置で断面積が最小となり、最も強度が弱く変形し易くなる。したがって、厚手の天井板に対しては、切欠部の下端位置でフランジ下部略垂直片が外方に屈曲し、その結果脚部が左右に開いて天井板を押圧する。しかも、フランジ下部略垂直片が外方に屈曲しても、フランジ上部垂直片は垂直姿勢を保持するので、爪の係止状態は変化しない。
また、フランジ下部略垂直片を内向きに傾斜させたので、薄手の天井板と厚手の天井板の中間の厚さの天井板に対し、フランジ下部略垂直片が垂直姿勢となり、最強の押圧力が得られる。
【００１１】
【発明の実施の形態】
この発明の一実施の形態を図１ないし図５に基づいて説明する。図１，図２，図３は、それぞれ天井板押え金具１０の斜視図，正面図，側面図を示している。天井板押え金具１０は亜鉛鋼板製であって、ウェブ１２の両側から一対のフランジ１３，１４を垂下してなる逆Ｕ字状部１１と、一対のフランジ１３，１４の下端から斜め下向き外方に延設した脚部１５，１６とからなる。逆Ｕ字状部１１の幅寸法は、天井枠４１の膨出部４６（図７参照）の幅寸法より若干大きく形成されている。また、各フランジ１３，１４は、上部の垂直片１３ａ，１４ａと、下部の若干内向きに折曲した略垂直片１３ｂ，１４ｂとから形成されており、脚部１５，１６の先端には水平片１７，１８が延設されている。
【００１２】
また、各フランジ１３，１４には、切欠部１９，２０が形成されている。各切欠部１９，２０は、垂直片１３ａ，１４ａと略垂直片１３ｂ，１４ｂの境の屈曲部２３，２４にて最大の幅寸法となる台形状に形成されている。さらに、切欠部１９，２０には爪２１，２２が切り起こし形成されている。爪２１，２２は、略垂直片１３ｂ，１４ｂの上端から若干内向きに立ち上げ形成されている。
【００１３】
図３に示すように、屈曲部２３，２４における切欠部１９，２０を除くフランジ１３，１４の幅寸法は２ａとなり、他の部位における同寸法（例えば、切欠部１９，２０の上端では２ｂ）と比較して最低となり、屈曲部２３，２４にてフランジ１３，１４の強度が最も弱く、変形し易くなっている。
また、最も厚みの薄い天井板を押圧することができるように、天井枠の下フランジから脚部１５，１６の先端の水平片１７，１８までの高さ寸法が、最も厚みの薄い天井板の厚み以下となるように設定しておく。また、最も厚手の天井板を押圧することができるように、天井枠の下フランジから屈曲部２５，２６までの高さ寸法が、最も厚手の天井板の厚み以上となるように設定しておく。
【００１４】
さらに、フランジ１３，１４と脚部１５，１６の境の屈曲部２５，２６は、天井枠４１に円滑に外嵌することができるようにＲ状に形成されている。
図４に、天井板押え金具１０の施工状態を示す。この施工状態は、最も厚みの薄い天井板４２を押圧する例である。天井板押え金具１０の逆Ｕ字状部１１を天井枠４１の上端の膨出部４６に外嵌し、爪２１，２２を膨出部４６の下面の係止部４５に係止する。また、両脚部１５，１６の先端の水平片１７，１８にて、脚部１５，１６の弾性を利用して天井板４２，４２を押圧する。
【００１５】
また、図５に示すように、最も厚手の天井板４４の場合、天井板押え金具１０は、フランジ１３，１４の最も強度が弱く変形し易い屈曲部２３，２４から略垂直片１３ｂ，１４ｂが若干外向きとなるように屈曲する。これにより、脚部１５，１６が左右に開き、脚部１５，１６の弾性を利用して天井板４４を押圧する。なお、屈曲部２３，２４より上部の垂直片１３ａ，１４ａは垂直姿勢で保持され、その結果爪２１，２２も略垂直姿勢に保持された状態で係止部４５に係止し、係止力に変化はない。
【００１６】
このように構成された天井板押え金具１０によると、図４の薄手の天井板４２はもちろんのこと、図５の厚手の天井板４４であっても、略垂直片１３ｂ，１４ｂが外方に屈曲し脚部１５，１６が左右に開いて天井板４４を押圧する。このように、一種類の天井板押え金具１０にて、各種厚みの天井板４２，４４を押圧することができ、部材の共通化が図れる。
【００１７】
また、図５のように、厚手の天井板４４を押圧するときには、最も変形し易い屈曲部２３，２４にて略垂直片１３ｂ，１４ｂが外向きに屈曲し、屈曲部２３，２４より上部の垂直片１３ａ，１４ａは垂直姿勢を保持する。よって、略垂直片１３ｂ，１４ｂの外方への屈曲により爪２１，２２が内向きに回転する力を受けても、垂直片１３ａ，１４ａが外方に広がらないので、爪２１，２２は略垂直姿勢を保持し、係止部４５との係止力が変化しない。よって、図４のような薄手の天井板４２であっても、図５のような厚手の天井板４４であっても、同等の押圧力で安定して押圧できる。
【００１８】
さらに、フランジ下部の略垂直片１３ｂ，１４ｂを内向きに傾斜させたので、薄手の天井板４２と厚手の天井板４４の中間の厚さの天井板に対し、略垂直片１３ｂ，１４ｂが垂直姿勢となり、最強の押圧力が得られる。この結果、薄手の天井板４２に対しても、厚手の天井板４４に対しても、押圧力が偏らず、理想的な天井板押え金具１０を得ることができる。
【００１９】
なお、切欠部１９，２０の形状は、台形に限るものではなく、三角形などの下端が最大幅となる形状であればよい。あるいは、切欠部１９，２０は方形であって、当該切欠部１９，２０の下端位置でフランジ１３，１４の断面積が最小となるように、フランジ１３，１４の両側を切欠いたものでもよい。
【００２０】
また、左右の脚部１５，１６にて押圧する天井板の厚みが異なる場合でも適用できる。すなわち、左右の天井板の厚みが異なっても、脚部１５，１６はそれぞれの押圧する天井板の厚みに応じて屈曲部２３，２４が屈曲し、爪２１，２２の係止力が低下することなく確実に天井板を押圧できる。また、天井板押え金具１０の取付けに際しても、左右の脚部１５，１６が別々に開いて対応するので、天井板押え金具１０が傾くようなこともなく、施工性も優れる。
【００２１】
【発明の効果】
請求項１記載の天井板押え金具によると、フランジは切欠部の下端位置で断面積が最小となり、最も強度が弱く変形し易くなる。したがって、厚手の天井板に対しては、切欠部の下端位置でフランジ下部略垂直片が外方に屈曲し、その結果脚部が左右に開いて天井板を押圧する。このように、一種類の天井板押え金具にて各種厚みの異なる天井板を押圧することができ、部材の共通化が図れる。しかも、フランジ下部略垂直片が外方に屈曲しても、フランジ上部垂直片は垂直姿勢を保持するので、爪の係止状態は変化せず、天井板の厚みが異なっても同等の押圧力で押圧することができるという効果が得られる。
また、フランジ下部略垂直片を内向きに傾斜させたので、薄手の天井板と厚手の天井板の中間の厚さの天井板に対し、フランジ下部略垂直片が垂直姿勢となり、最強の押圧力が得られる。これにより、薄手の天井板に対しても、厚手の天井板に対しても、押圧力が偏らず、理想的な天井板押え金具を得ることができるという効果がある。
【図面の簡単な説明】
【図１】この発明の一実施の形態における天井板押え金具の斜視図である。
【図２】この発明の一実施の形態における天井板押え金具の正面図である。
【図３】この発明の一実施の形態における天井板押え金具の側面図である。
【図４】この発明の一実施の形態における天井板押え金具の薄手の天井板に対する施工状態の断面図である。
【図５】この発明の一実施の形態における天井板押え金具の厚手の天井板に対する施工状態の他の例の断面図である。
【図６】天井の見上げ図である。
【図７】図６のＶＩＩ  −ＶＩＩ  断面図である。
【図８】従来例の天井板押え金具の斜視図である。
【図９】従来例の天井板押え金具の施工状態の断面図である。
【図１０】他の従来例の天井板押え金具の斜視図である。
【図１１】他の従来例の天井板押え金具の薄手の天井板に対する施工状態の断面図である。
【図１２】他の従来例の天井板押え金具の厚手の天井板に対する施工状態の断面図である。
【符号の説明】
１０  天井板押え金具
１１  逆Ｕ字状部
１２  ウェブ
１３，１４  フランジ
１５，１６  脚部
１９，２０  切欠部
２１，２２  爪
４１  天井枠
４２，４４  天井板
４３  下フランジ
４５  係止部
４６  膨出部
【図１】
0003548647.tif 000002
【図２】
0003548647.tif 000003
【図３】
0003548647.tif 000004
【図４】
0003548647.tif 000005
【図５】
0003548647.tif 000006
【図６】
0003548647.tif 000007
【図７】
0003548647.tif 000008
【図８】
0003548647.tif 000009
【図９】
0003548647.tif 000010
【図１０】
0003548647.tif 000011
【図１１】
0003548647.tif 000012
【図１２】
0003548647.tif 000013